(57)【要約】【課題】  無音や静止画の状態による視聴者への不快感をより自然に解消することができる受信装置及び受信方法を提供すること。【解決手段】  ディジタル放送波を受信し、受信されたデータに基づき映像の表示及び／又は可聴音の出力を行い、前記映像の表示又は可聴音の出力を行っているときであって、前記ディジタル放送波が受信できない時間が所定時間以上になると推定されるとき、又は前記ディジタル放送波が受信できない時間が設定された時間以上になったとき、代替の映像の表示及び／又は可聴音の出力を行うことで、切り替えが頻繁に起こるようなこともなく、無音や静止画の状態による視聴者への不快感をより自然に解消することができる。【選択図】  図２
2006060709.tif 000002
【特許請求の範囲】
【請求項１】
ディジタル放送波を受信する受信手段と、
代替の映像及び／又は可聴音のデータを出力可能な出力手段と、
前記受信手段によりディジタル放送波が受信できない時間が所定時間以上になると推定されるとき、又は前記受信手段によりディジタル放送波が受信できない時間が設定された時間以上になったとき、前記受信手段により受信されたデータに代えて前記出力手段から出力されるデータに基づき映像の表示及び／又は可聴音の出力を行う映像表示・可聴音出力手段と
を具備することを特徴とする受信装置。
【請求項２】
請求項１に記載の受信装置であって、
前記出力手段は、前記代替の映像及び／又は可聴音のデータを記憶する記憶手段を有することを特徴とする受信装置。
【請求項３】
請求項２に記載の受信装置であって、
前記記憶手段は、視聴していたチャネルの直近の前記ディジタル放送波のデータを、前記代替の映像及び／又は可聴音のデータとして記憶することを特徴とする受信装置。
【請求項４】
請求項１に記載の受信装置であって、
前記出力手段は、外部機器から出力される映像及び／又は可聴音のデータを入力し、入力したデータを前記代替の映像及び／又は可聴音のデータとして出力することを特徴とする受信装置。
【請求項５】
請求項１に記載の受信装置であって、
前記前記受信手段により受信されたデータに代えて前記出力手段から出力されるデータに基づき映像の表示及び／又は可聴音の出力を行う前に、所定の報知を出力することを特徴とする受信装置。
【請求項６】
請求項１に記載の受信装置であって、
前記映像表示・可聴音出力手段は、当該受信装置の位置情報に基づき前記受信手段によりディジタル放送波が受信できない時間が所定時間以上になると推定することを特徴とする受信装置。
【請求項７】
請求項６に記載の受信装置であって、
当該受信装置の位置情報をカーナビゲーションシステムから入力することを特徴とする受信装置。
【請求項８】
請求項１に記載の受信装置であって、
前記映像表示・可聴音出力手段は、外部の表示装置又はスピーカから映像又は可聴音を出力することを特徴とする受信装置。
【請求項９】
ディジタル放送波を受信し、受信されたデータに基づき映像の表示及び／又は可聴音の出力を行い、
前記映像の表示又は可聴音の出力を行っているときであって、前記ディジタル放送波が受信できない時間が所定時間以上になると推定されるとき、又は前記ディジタル放送波が受信できない時間が設定された時間以上になったとき、代替の映像の表示及び／又は可聴音の出力を行う
ことを特徴とする受信方法。
【請求項１０】
請求項９に記載の受信方法であって、
前記代替の映像の表示及び／又は音声の出力を行う前に、所定の報知を出力することを特徴とする受信方法。
【発明の詳細な説明】
【技術分野】
【０００１】
本発明は、ディジタル放送を受信する受信装置及び受信方法に係り、特に移動体に搭載されるのに好適な受信装置及び受信方法に関するものである。
【背景技術】
【０００２】
一般に、ディジタル放送システム用の受信装置では、放送局の送信アンテナや衛星から発信されたディジタル放送を受信して、放送方式に従って復調して後に得られたディジタルストリームをデコードして映像の表示や音声の出力、データサービスの提供を受けている。
【０００３】
ところで、最近では電車内や自動車内で視聴することを対象とする移動体向けのディジタル放送も実現しようとしている。このような移動体向けの放送の場合、固定局と異なり受信装置の受信電波環境は逐次様々に変化しており、例えばトンネルや遮蔽物の陰などでは、再生に必要なデータ誤り率を上回ってしまい、視聴ができないこともある。
【０００４】
従来のアナログ放送では、このような移動体の受信環境でもある程度の受信電界強度があれば雑音を含むものの映像や音声がかろうじて再生され、少なくも無音状態になるようなことはないが、ディジタル放送の場合には、再生できる誤り率以上ではデータの復元ができず、映像は静止、音声は無音状態にならざるを得ない。視聴者としては一般的には雑音が混ざっていても何を言っているか分かる状況の方が、全く無音や静止画の状態よりも不快感が少ないと言える。従来から、そのような点がディジタル放送の欠点であると指摘されている。
【０００５】
そこで、特許文献１には、音声データを出力する音源手段と、受信ディジタル放送信号から復調したディジタル信号のエラーレートが閾値を超えたとき、前記ディジタル放送信号を再生して得た音声データから音源手段の出力する音声データに切り換えて出力する切換手段とを有し、放送データを再生できない状態が発生した場合に音源手段の音声データを出力して無音状態となることを回避する技術が開示されている。
【特許文献１】特開２００１−０１６５２６号公報
【発明の開示】
【発明が解決しようとする課題】
【０００６】
しかしながら、上記の特許文献１に記載された技術では、復調したディジタル信号のエラーレートが閾値を超えたときに無音状態を回避するための切り替えを行って音源手段の音声データを出力していることから、切り替えが頻繁に起こることが予想され、却って視聴者に不快感を与える、という課題がある。
【０００７】
本発明は、このような課題を解決するためのもので、無音や静止画の状態による視聴者への不快感をより自然に解消することができる受信装置及び受信方法を提供することを目的としている。
【課題を解決するための手段】
【０００８】
かかる目的を達成するため、本発明の主たる観点にかかる受信装置は、ディジタル放送波を受信する受信手段と、代替の映像及び／又は可聴音のデータを出力可能な出力手段と、前記受信手段によりディジタル放送波が受信できない時間が所定時間以上になると推定されるとき、又は前記受信手段によりディジタル放送波が受信できない時間が設定された時間以上になったとき、前記受信手段により受信されたデータに代えて前記出力手段から出力されるデータに基づき映像の表示及び／又は可聴音の出力を行う映像表示・可聴音出力手段とを具備することを特徴とする。
【０００９】
本発明の別の観点に係る受信方法は、ディジタル放送波を受信し、受信されたデータに基づき映像の表示及び／又は可聴音の出力を行い、前記映像の表示又は可聴音の出力を行っているときであって、前記ディジタル放送波が受信できない時間が所定時間以上になると推定されるとき、又は前記ディジタル放送波が受信できない時間が設定された時間以上になったとき、代替の映像の表示及び／又は可聴音の出力を行うことを特徴とするものである。
【００１０】
電波環境の悪化によって映像・可聴音（音声など）が提示できないことを受信装置の回路及びソフトウェアによって検知できることは自明である。このような受信不可状態になっても、場合によってはすぐに回復して、結果的に瞬断にとどまる場合も少なくない。このような場合に代替映像・可聴音の提示を行うと、逆に視聴者に混乱を生じさせて不快感を増大させてしまう。これに対して。本発明は、受信不可の状態がある時間継続した場合に代替映像・可聴音の提示を行うものである。このような時間の設定には、例えば以下の示す方法などがある。
ａ．受信不可時間の記録を過去ｎ回まで取得して、それぞれの順番と出現確率から次に受信不可が始まったときの継続時間を予想する。この予想方法としては、最小自乗法、最尤推定法などの様々な方法が可能である。この予想時間をもとに受信不可が始まってからどの程度の時間後に代替提示するかのスレッシュルドを設定し、それを超える場合に代替映像・可聴音の提示を行う。
ｂ．視聴者の操作によって当該時間を設定する。瞬断したときに受信装置が再度バッファにデータを溜める時間を必要とする場合などは、その時間を最小値とすればよい。
【００１１】
よって、本発明では、ディジタル放送波が受信できない時間が所定時間以上になると推定されるとき、又はディジタル放送波が受信できない時間が設定された時間以上になったときに、代替の映像及び／又は可聴音のデータに基づき映像の表示及び／又は可聴音の出力を行うようにしているので、切り替えが頻繁に起こるようなこともなく、無音や静止画の状態による視聴者への不快感をより自然に解消することができる。
【００１２】
ここで、前記出力手段としては、前記代替の映像及び／又は可聴音のデータを記憶する記憶手段を有していてもよい。前記記憶手段は、視聴していたチャネルの直近の前記ディジタル放送波のデータを、前記代替の映像及び／又は可聴音のデータとして記憶するようにしてもよい。
【００１３】
視聴していたチャネルの直近のディジタル放送波のデータに基づき代替の映像の表示及び／又は可聴音の出力を行うようにすることで、例えば所定の曲の音楽を聞いていた場合にはその曲をフラッシュバックしたような形態で視聴者に聞かせることができる。従って、視聴者にあまり不自然さのない代替の映像・可聴音を提供できる。
【００１４】
なお、視聴者の好みに応じて受信装置により受信できる範囲で例えば現在視聴していた番組以外の番組（いわゆる裏番組）を代替の映像・可聴音として提供するようにしても勿論構わない。
【００１５】
また、記憶手段には、予め視聴者が用意した（ブリッジメディア等の受信装置にロードされた）コンテンツを使用しても勿論構わない。
【００１６】
この場合、受信不可が発生するたびに代替映像等を、すでに記憶している最初からのデータを使うのではなく、それまでに提供したデータの位置を保存しておき、受信不可が発生するたびに代替映像等をそのデータの位置から継続的に提供するようにしても構わない。
【００１７】
一方、前記出力手段としては、外部機器から出力される映像及び／又は可聴音のデータを入力し、入力したデータを前記代替の映像及び／又は可聴音のデータとして出力するようにしてもよい。例えば、本装置が自動車に搭載されるような場合には、自動車に搭載されたＣＤ、ＤＶＤ等の再生装置（外部機器）からの出力を本装置から代替の映像及び／又は可聴音のデータとして出力するようにすればよい。これにより、視聴者が嗜好するコンテンツを外部から代替の映像・可聴音として提供することができる。
【００１８】
本発明では、前記前記受信手段により受信されたデータに代えて前記出力手段から出力されるデータに基づき映像の表示及び／又は可聴音の出力を行う前に、所定の報知音を出力するようにしてもよい。
【００１９】
代替の映像・可聴音の提供前に所定の報知音、例えば「ピッ」のようなアラーム音を出力することで、視聴者にはそのようなコンテンツに切り替わったことを知らせることができる。
【００２０】
映像については、例えばフェードイン・フェードアウトによりコンテンツに切り替わりを知らせることができる。
【００２１】
なお、代替の映像・可聴音の提供中に受信環境が良好になり、受信可能になった場合には、本来の受信映像・可聴音に復帰するようにすればよいが、その場合には同様に復帰時に所定の可聴音を出力するようにしてもよい。このような可聴音と代替の映像・可聴音の提供前の報知音とを視聴者に区別できるように、例えばアラーム音の回数や音程を変えるようにしても勿論構わない。
【００２２】
本発明では、前記映像表示・可聴音出力手段としては、当該受信装置の位置情報に基づき前記受信手段によりディジタル放送波が受信できない時間が所定時間以上になると推定するようにしても構わない。
【００２３】
「当該受信装置の位置情報」とは、例えば自動車に搭載されたナビゲーションシステムからの位置情報のことをいう。例えば、「位置情報」に基づき、これからトンネルの中に入るような場合には、ディジタル放送波が受信できない時間が所定時間以上になると推定することができる。
【００２４】
本発明では、前記映像表示・可聴音出力手段としては、外部の表示装置又はスピーカから映像又は可聴音を出力するものであってもよい。
【発明の効果】
【００２５】
本発明によれば、代替の映像及び／又は可聴音への切り替えが頻繁に起こるようなこともなく、無音や静止画の状態による視聴者への不快感をより自然に解消することができる。
【発明を実施するための最良の形態】
【００２６】
以下、本発明の実施の形態を図面に基づき説明する。  
（第１の実施形態）
【００２７】
図１は本発明の第１の実施形態に係る受信装置の構成を示す図である。  
【００２８】
受信装置１は、ダイバーシティーによる受信を行うための一対の内蔵アンテナ２と、フロントエンド部３と、バックエンド部４と、電源部５と、操作部６と、液晶ディスプレイ７と、スピーカ８とからその主要部が構成されている。
【００２９】
なお、この受信装置１は、衛星放送を受信する装置であり、当該衛星放送における放送信号の伝送にはマルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００３０】
フロントエンド部３は、内蔵アンテナ２から入力されたＲＦ信号をダウンコンバートし、復調部に渡すためのＲＦダウンコンバート部９と、そのＲＦ信号を復調する復調部１０と、条件付きアクセスまたは限定受信にされている有料放送において受信契約の有無に応じてＲＦ信号の解読を実行するか否かを規制するコンディショナル・アクセス部１１と、フロントエンド部３全体を制御するフロントエンド制御部１２とを有する。
【００３１】
バックエンド部４は、フロントエンド部３により復調された信号を復号するデコーダ１３と、復号化されたディジタル信号をアナログの音声信号に変換するディジタル・アナログ・コンバータ１４と、復号化されたディジタル信号を例えばＮＴＳＣ画像信号に変換するグラフィック・ディスプレイ・コントローラ１５と、外部からコントロール信号を入力し、また外部にコントロール信号を出力するためのディジタル信号入力・出力部１６と、装置全体を包括的に制御するための主制御部１７と、その他ＲＡＭ１８やＲＯＭ１９などを備える。
【００３２】
主制御部１７は、例えばデコーダ１３により復号された信号に基づき電波環境の悪化によって映像・音声が提示可能かを判断する。
【００３３】
ＲＡＭ１８には、代替映像・音声の提示用のデータとして例えば視聴していたチャネルの直近のディジタル放送波のデータをＦＩＦＯメモリのように所定時間分随時蓄積している。なお、ＲＡＭ１８には、代替映像・音声の提示用のデータとして例えば受信装置により受信できる範囲で現在視聴していた番組以外の番組（いわゆる裏番組）を代替の映像・可聴音として所定時間分随時蓄積するようにしても勿論構わない。また、代替映像・音声の提示用のデータとして予め視聴者が用意した（ブリッジメディア等の受信装置にロードされた）コンテンツをＲＡＭ１８に蓄積しておいてもよい。その場合には、ＲＡＭ１８をバッテリーバックアップタイプとするか、フラッシュメモリーを用いるようにした方がより好ましい。
【００３４】
電源部５は、各部に電力を供給するためのバッテリ２０を備える。  
【００３５】
また、この受信装置１は、音声（可聴音）信号を外部に出力するための音声信号出力端子２１と、画像信号としてのＮＴＳＣ信号を出力するための画像信号出力端子２２とを備える。
【００３６】
操作部６は、オン・オフスイッチ、チャネル切替えボタン、ボリュームコントローラなどを備える。  
【００３７】
液晶ディスプレイ７は、映像を表示する。  
【００３８】
また、スピーカ８は、音声などの可聴音を出力する。
【００３９】
次に、このように構成された受信装置１における代替映像・音声の提示機能について図２に示すフローチャートに基づき説明する。なお、このような動作は主制御部１７が所定のソフトウェアに基づき実行する。
（１）視聴者により選択されたチャネルのコンテンツ（映像・音声）を液晶ディスプレイ７により映像として表示し、スピーカ８から音声として出力している状態で（ステップ２０１）、主制御部１７はデコーダ１３により復号された信号に基づき電波環境の悪化によって映像・音声が提示可能かを判断している（ステップ２０２）。
（２）ステップ２０２において映像・音声の提示ができないと判断されたときに、代替映像・音声の提示までの時間Ｔ１を設定する（ステップ２０３）。
【００４０】
このＴ１については、上記したように、受信不可時間の記録を過去ｎ回まで取得して、それぞれの順番と出現確率から次に受信不可が始まったときの継続時間を予想する。この予想方法としては、最小自乗法、最尤推定法などの方法を用いる。なお、視聴者の操作によって当該時間を設定してもよい。その場合は、このステップ２０３は不要である。
（３）規定時間Ｔ１を経過しても（ステップ２０４）受信不可（ステップ２０５）の場合には、スピーカ８から例えば「ピッ」という音を出力した（ステップ２０６）後、ＲＡＭ１８に蓄積されている代替映像・音声のデータに基づき、代替の映像を液晶ディスプレイ７により表示し、スピーカ８から代替の音声を出力する（ステップ２０７）。
（４）その後、主制御部１７がデコーダ１３により復号された信号に基づき映像・音声の提示が可能になったと判断すると（ステップ２０８）、スピーカ８から例えば「ピッピッ」という音を出力した（ステップ２０９）後、視聴者により選択されていた現在受信中のチャネルのコンテンツ（映像・音声）を液晶ディスプレイ７により映像として表示し、スピーカ８から音声として出力する（ステップ２１０）。
（５）そして、受信不可継続時間を記録して次回の代替提示目でのスレッシュルドを計算し（ステップ２１１）、ステップ２０１に戻る。電源がオフにされると（ステップ２１２）、一連の処理を終了する。
【００４１】
以上のように、本実施形態に係る受信装置１では、受信不可時の代替映像・音声提示機能を導入することによって、トンネルなど電波の途絶する受信環境下で移動体向けディジタル放送を受信・視聴するユーザが受ける不快感を軽減することができる。すなわち、比較的長い時間電波を受信できない場合に映像が静止画、音声が無音になってしまうところに代替の映像・音声を提示し、擬似的に受信を継続させて不快感を軽減することができる。
（第２の実施形態）
【００４２】
図３は第２の実施形態に係る受信システムの構成を示す概略図である。
【００４３】
受信システム３１は、スタンドアローンの状態で衛星放送を受信して映像表示及び音声出力を行うことができる受信装置３２と、自動車の例えばダッシュボードに搭載される車載用クレードル３３とから構成される。車載用クレードル３３には、例えば自動車の外部に設置された一対の外部アンテナ３４が接続され、また例えば車載されたカーナビゲーションシステム３５にも接続されている。
【００４４】
図４は受信装置３２及び車載用クレードル３３の構成を示す図である。
【００４５】
受信装置３２は、ダイバーシティーによる受信を行うための一対の内蔵アンテナ３６と、フロントエンド部３７と、バックエンド部３８と、電源部３９と、タッチパネル式液晶ディスプレイ４０とからその主要部が構成されている。
【００４６】
フロントエンド部３７は、内蔵アンテナ３６から入力されたＲＦ信号をダウンコンバートし、復調部に渡すためのＲＦダウンコンバート部４１と、そのＲＦ信号を復調する復調部４３と、条件付きアクセスまたは限定受信にされている有料放送において受信契約の有無に応じてＲＦ信号の解読を実行するか否かを規制するコンディショナル・アクセス部４４と、フロントエンド部３７全体を制御するフロントエンド制御部４５とを有する。
【００４７】
バックエンド部３８は、フロントエンド部３７により復調された信号を復号するデコーダ４６と、復号化されたディジタル信号をアナログの音声信号に変換するディジタル・アナログ・コンバータ４７と、復号化されたディジタル信号を例えばＮＴＳＣ画像信号に変換するグラフィック・ディスプレイ・コントローラ４８と、外部からコントロール信号を入力し、また外部にコントロール信号を出力するためのディジタル信号入力・出力部４９と、装置全体を包括的に制御するための主制御部５０と、その他ＲＡＭ５１やＲＯＭ５２などを備える。
【００４８】
上記の実施形態と同様に、主制御部４７は、例えばデコーダ４３により復号された信号に基づき電波環境の悪化によって映像・音声が提示可能かを判断する。ＲＡＭ４８には、例えば代替映像・音声の提示用のデータとして例えば視聴していたチャネルの直近のディジタル放送波のデータをＦＩＦＯメモリのように所定時間分随時蓄積している。
【００４９】
電源部３９は、各部に電力を供給するためのバッテリ５３を備える。  
【００５０】
また、この受信装置３２は、音声信号を出力するための音声信号出力端子５４と、画像信号としてのＮＴＳＣ信号を出力するための画像信号出力端子５５と、コントロール信号としてもディジタル信号の入出力を行うためのディジタル信号入出力端子５６と、モード切替用の押下スイッチ５７と、車載用クレードル３３側のコネクタ兼メカニカルロック５８と接触してロックされるコネクタ兼メカニカルロック５９とを更に有する。コネクタ兼メカニカルロック５９は、車載用クレードル３３側のコネクタ兼メカニカルロック５８と接触することで、車載用クレードル３３側から電力が供給される。供給された電力は、この受信装置３２の動作用、及び電源部３９のバッテリ５３への充電用に使用される。
【００５１】
車載用クレードル３３は、受信装置３２が着脱可能に装着される装着部６０を有する。この装着部６０は、例えば受信装置３２の下部を収容して受信装置３２を立てた状態で保持する凹状の構造を有する。受信装置３２が装着部６０に装着された状態で、ユーザは受信装置３２のタッチパネル式液晶ディスプレイ４０の画面を見ることができ、またタッチパネル式液晶ディスプレイ４０に対して入力操作を行うことができる。
【００５２】
装着部６０の底部には、装着部６０に装着された受信装置３２のコネクタ兼メカニカルロック５９と接触してロックされるコネクタ兼メカニカルロック５８が設けられている。上述したように、コネクタ兼メカニカルロック５８は、受信装置３２が装着部６０に装着されたときに受信装置３２に充電するためのコネクタとして機能するものである。コネクタ兼メカニカルロック５８は、自動車のバッテリ（図示を省略）からの例えば１２VのDＣ電源の供給を受けるための電源入力端子６１を有し、電源入力端子６１とコネクタ兼メカニカルロック５８とがレギュレータ６２を介して接続されている。
【００５３】
また、車載用クレードル３３には、衛星放送を受信するための例えば２本の外部アンテナ３４が接続されている。外部アンテナ３４を２本有することで、装着部６０に装着された受信装置３２がダイバーシティーによる受信を行うことができるようになっている。装着部６０の壁部には、装着部６０に装着された受信装置３２の各内蔵アンテナ３６と対面するように一対の送信アンテナ６４が設けられており、各外部アンテナ３４は、それぞれの送信アンテナ６４に接続されている。これにより、外部アンテナ３４からの受信信号を受信装置３２側に非接触式に送出することができるようになっている。非接触式の場合、ＣＤＭ方式の受信の利点を享受することができる。非接触式の場合、受信装置３２が車載用クレードル３３に装着されない状態と同様に、マルチパスを、内蔵アンテナ３６は受信することになり受信信号の品位は低下するが、復調部４３において、ＣＤＭ方式の信号をＲＡＫＥ受信することにより耐マルチパス特性の高い受信が可能となる。とりわけ、車載用の受信端末においては、時時刻刻と受信端末に到来する信号は、変化し、反射波がマルチパスになる。よって、外部アンテナ３４から非接触で受信装置３２側でＣＤＭ方式の信号をＲＡＫＥ受信する場合耐マルチパス体の高い受信が可能となる。しかしながら、接触式で外部アンテナ３４からの受信信号を受信装置３２側に送出するようにしても勿論構わない。
【００５４】
装着部６０の底部には、装着部６０に装着された受信装置３２のモード切替用の押下スイッチ５７と対応する位置に設けられたモード切替手段としての突起部６５が設けられている。これにより、受信装置３２が装着部６０に装着されたとき、突起部６５により押下スイッチ５７が押下され、モードの切替が実行されるようになっている。
【００５５】
また、この車載用クレードル３３の装着部６０の壁部には、装着部６０に装着された受信装置３２の音声信号出力端子５４と接続される音声系接続端子６６と、画像信号出力端子５５と接続される画像系接続端子６７と、ディジタル信号入出力端子５６と接続されるコントロール系接続端子６８とが設けられている。
【００５６】
更に、この車載用クレードル３３には、音声系接続端子６６と接続された音声信号出力端子６９と、画像系接続端子６７と接続された画像信号出力端子７０と、コントロール系接続端子６８と接続されたディジタル信号入出力端子７１と、受信装置３２をコントロールするためのリモートコントローラ（図示せず）からの赤外線コントロール信号を受信するための赤外線受光部７２が設けられている。赤外線受光部７２により受信された信号は、コントロール系接続端子６８を介して受信装置３２側に送出されるようになっている。これらの音声信号出力端子６９、画像信号出力端子７０及びディジタル信号入出力端子７１は、図５に示すように、外部機器としてのカーナビゲーションシステム３５に接続されるようになっている。
【００５７】
カーナビゲーションシステム３５は、図５に示すように、車載スピーカ７４、例えばタッチパネル式の液晶ディスプレイ７５、カーナビゲーション用の映像信号や音声信号、テレビの映像信号や音声信号、ラジオの音声信号などを出力すると共に全体を統括的に制御するカーナビ本体部７６、及びカーナビ本体部７６からの信号を液晶ディスプレイ７５に出力させるか、車載用クレードル３３からの信号を液晶ディスプレイ７５に出力させるかを切り替える切替え部７７を有する。
【００５８】
また、カーナビゲーションシステム３５は、この受信システム３１で衛星放送を受信できないような位置、例えばトンネル内入ることを予測してその情報を受信システム１側に伝える。なお、単にカーナビゲーションシステム３５が受信システム３１に位置情報を与えて、受信システム３１側でそのような予測を行うようにしても勿論構わない。
【００５９】
そして、そのように位置情報に基づき受信不可が予測される場合には、受信システム３１では所定の時間を待たずに即座に代替映像・音声を提示するように構成してもよい。
【００６０】
また、このシステムでは、ユーザは、受信装置３２を自動車内に持ち込み、受信装置３２を車載用クレードル３３に差し込こむ。このように受信装置３２が車載用クレードル３３に差し込まれると、車載用クレードル３３の突起部６５により受信装置３２のモード切替用の押下スイッチ５７が押下され、受信装置３２が車載用クレードル３３に差し込まれたことが主制御部５０により認識されるとともに、レギュレータ５２を介して自動車側の例えば１２ＶのＤＣ電源から受信装置５２に電力が供給され、受信装置３２への充電が開始される。このとき、主制御部５０は、受信装置３２のタッチパネル式液晶ディスプレイ４０が衛星放送を表示するモードから、衛星放送をカーナビゲーションシステム３５へ出力可能なモードに受信装置３２を設定する。
（その他の実施形態）
【００６１】
なお、本発明は、上記の実施形態に限定されるものではない。
【００６２】
例えば、この受信装置が自動車に搭載されるような場合には、自動車に搭載されたＣＤ、ＤＶＤ等の再生装置（外部機器）からの出力をこの受信装置から代替の映像及び／又は可聴音のデータとして出力するようにすればよい。これにより、視聴者が嗜好するコンテンツを外部から代替の映像・可聴音として提供することができる。
【図面の簡単な説明】
【００６３】
【図１】本発明の第１の実施形態に係る受信装置の構成を示す図である。
【図２】第１の実施形態に係る受信装置における代替映像・音声の提示機能を示すフローチャートである。
【図３】第２の実施形態に係る受信システムの構成を示す概略図である。
【図４】第２の実施形態に係る受信装置及び車載用クレードルの構成を示す図である。
【図５】第２の実施形態に係るカーナビゲーションシステムの構成を示す図である。
【符号の説明】
【００６４】
１  受信装置
７  液晶ディスプレイ
８  スピーカ
１７  主制御部
１８  ＲＡＭ
【図１】
2006060709.tif 000003
【図２】
2006060709.tif 000004
【図３】
2006060709.tif 000005
【図４】
2006060709.tif 000006
【図５】
2006060709.tif 000007